(57)【要約】      （修正有）【課題】便利であり、割り箸を何回も使用することができ、コストを抑える効果がある割り箸の置換カバー構造を提供する。【解決手段】エンドカバー１１及び包覆部１４で構成する割り箸の置換カバー構造を端の挟み部２１に套設する。該エンドカバーは箸の挟み部の端を挿入して定位できる収納槽及び、該収納槽の外周に接合部を設ける。該包覆部は棒状の材料を用いて、螺旋状態で巻きつけながら内部にスペース１４０を具有する筒状のものに形成する。第一端１４１及び第二端１４２を具有し、第一端とエンドカバーの接合部をしっかりと組合せる。第二端の開口より箸の挟み部の端を包覆部内のスペースに挿入し、収納槽で定置付けする。【選択図】図２
0003169209.tif 000002
【実用新案登録請求の範囲】
【請求項１】
エンドカバー、包覆部を含む割り箸の置換カバー構造であって、
該エンドカバーは箸の挟み部の端を挿入して定位できる収納槽及び、該収納槽の外周に接合部を設け、
該包覆部は棒状の材料を用いて、螺旋状態で巻きつけながら内部にスペースを具有する筒状に形成され、第一端及び第二端を具有し、
該第一端と前記接合部が組合され、前記第二端の開口より箸の挟み部の端を前記包覆部内のスペースに挿入し、前記収納槽で定置され、前記包覆部が箸の挟み部を覆うことを特徴とする割り箸の置換カバー構造。
【請求項２】
前記エンドカバーに、該エンドカバーよりも直径がやや小さくなる接合部を形成し、且つ箸の挟み部を挿入して定置される収納槽を設け、
前記包覆部は該接合部の外周に沿って巻きつけられ、スペースを具有する筒状を形成することを特徴とする請求項１記載の割り箸の置換カバー構造。
【請求項３】
前記包覆部は棒状の材料を用いて、螺旋状態で巻きつけながら内部にスペースを具有する筒状のものに形成され、
該材料は食品級のものを使用することを特徴とする請求項１或いは請求項２記載の割り箸の置換カバー構造。
【請求項４】
前記包覆部の材料は食品級の紙、或いは粉状・糊状の穀物よりなることを特徴とする請求項３記載の割り箸の置換カバー構造。
【請求項５】
前記包覆部の表面に滑り止め面を具有することを特徴とする請求項１或いは請求項２記載の割り箸の置換カバー構造。
【請求項６】
前記包覆部は棒状の材料を用いて、内部にスペースを具有する筒状を形成し、
該巻き付け方法は、螺旋状とすることを特徴とする請求項１或いは請求項２記載の割り箸の置換カバー構造。
【請求項７】
前記エンドカバーはプラスティック或いは紙により形成されることを特徴とする請求項１或いは請求項２記載の割り箸の置換カバー構造。
【請求項８】
前記包覆部は棒状の材料を用いて、内部にスペースを具有する筒状を形成し、
該包覆部の棒状材料が互いに貼合する端に接着剤を塗布することを特徴とする請求項１或いは請求項２記載の割り箸の置換カバー構造。
【請求項９】
前記包覆部は棒状の材料を用いて、内部にスペースを具有する筒状を形成し、
該包覆部の棒状材料の表面に滑り止め面を設け、該滑り止め面の幅は該棒状材料の幅よりやや狭く、該両端に貼合部を設け、該包覆部を螺旋状態で巻きつけながら形成する際、該貼合部を互いに重なり合わせて貼合することを特徴とする請求項１或いは請求項２記載の割り箸の置換カバー構造。
【請求項１０】
前記貼合部に接着剤を塗布することを特徴とする請求項９記載の割り箸の置換カバー構造。
【考案の詳細な説明】
【技術分野】
【０００１】
本考案は割り箸の置換カバー構造に関し、特にエコ且つ便利性を具有する割り箸の置換カバー構造に関する。
【背景技術】
【０００２】
商工業が日進月歩するなか、外食する人が増え、集まって食事をする機会も増えた。衛生面と便利さを考慮し、業者は割り箸を用意している。周知の通り、割り箸は竹や木材を伐採するだけでなく、その製造工程では殺菌と漂白を必要とするため、硫黄あるいは過酸化水素が残留することがある。また、使用済みの割り箸が二次公害となり、環境に悪く問題視されている。政府としてはマイ箸の持参を提唱しているが、不便であるほか、使用後直ちに洗うことができないため、実践している人が少ないのが現状であるなどを鑑みて、改善する必要がある。
【先行技術文献】
【特許文献】
【０００３】
【特許文献１】特開平１０−２７６８８３号公報
【考案の概要】
【考案が解決しようとする課題】
【０００４】
本考案の主な目的は、割り箸の置換カバー構造を提供することにある。従来技術の欠点を改善し、エコと使用上の便利性を上げるとともに、経済コストを抑える効果を兼ね備えるため、業者がそれを普及させ、使用する意欲がわく。
【課題を解決するための手段】
【０００５】
前記課題を解決するため、本考案は割り箸の置換カバー構造を提供するものである。該置換カバーを箸の挟み部に套設する。それに含まれるのはエンドカバー及び包覆部である。該エンドカバーはプラスティック或いは紙の如何なる一つの材料で成形し、箸の挟み部の端を挿入して定位できる収納槽及び、該収納槽の外周に接合部を設ける。
該包覆部は食品級の紙或いは穀物で作った粉や糊状などの材料を用いて、螺旋状態で巻きつけながら内部にスペースを具有する筒状のものに形成する。第一端及び第二端を具有し、第一端とエンドカバーの接合部をしっかりと組合せる。第二端の開口より箸の挟み部の端を包覆部内のスペースに挿入し、収納槽で定置付けする。及び包覆部は箸の挟み部を覆い、該包覆部の表面に滑り止め面を設けることで、食べ物をつまみやすくする。
【０００６】
前記の課題により、本考案を使用する際、該エンドカバー及び包覆部によって箸の挟み部を覆ってから箸を使用する。食事が終わると、該エンドカバーと包覆部がしっかりと箸の挟み部を覆うため、箸は尚も清潔な状態を保つ。よって、該置換カバーを破棄するだけで、次回使用する際、新しい置換カバーを設置するだけでよい。該置換カバーのコストは低く、分解することもでき、使用後折り畳むとスペースを取らないなど、エコにも産業にも最適なものである。
【０００７】
本考案は下記の特徴を有する。
（１）エンドカバー、包覆部を含む割り箸の置換カバー構造であって、
該エンドカバーは箸の挟み部の端を挿入して定位できる収納槽及び、該収納槽の外周に接合部を設け、
該包覆部は棒状の材料を用いて、螺旋状態で巻きつけながら内部にスペースを具有する筒状に形成され、第一端及び第二端を具有し、
該第一端と前記接合部が組合され、前記第二端の開口より箸の挟み部の端を前記包覆部内のスペースに挿入し、前記収納槽で定置され、前記包覆部が箸の挟み部を覆うことを特徴とする割り箸の置換カバー構造。
（２）前記エンドカバーに、該エンドカバーよりも直径がやや小さくなる接合部を形成し、且つ箸の挟み部を挿入して定置される収納槽を設け、
前記包覆部は該接合部の外周に沿って巻きつけられ、スペースを具有する筒状を形成することを特徴とする（１）記載の割り箸の置換カバー構造。
（３）前記包覆部は棒状の材料を用いて、螺旋状態で巻きつけながら内部にスペースを具有する筒状のものに形成され、
該材料は食品級のものを使用することを特徴とする（１）或いは（２）記載の割り箸の置換カバー構造。
（４）前記包覆部の材料は食品級の紙、或いは粉状・糊状の穀物よりなることを特徴とする（３）記載の割り箸の置換カバー構造。
（５）前記包覆部の表面に滑り止め面を具有することを特徴とする（１）或いは（２）記載の割り箸の置換カバー構造。
（６）前記包覆部は棒状の材料を用いて、内部にスペースを具有する筒状を形成し、
該巻き付け方法は、螺旋状とすることを特徴とする（１）或いは（２）記載の割り箸の置換カバー構造。
（７）前記エンドカバーはプラスティック或いは紙により形成されることを特徴とする（１）或いは（２）記載の割り箸の置換カバー構造。
（８）前記包覆部は棒状の材料を用いて、内部にスペースを具有する筒状を形成し、
該包覆部の棒状材料が互いに貼合する端に接着剤を塗布することを特徴とする（１）或いは（２）記載の割り箸の置換カバー構造。
（９）前記包覆部は棒状の材料を用いて、内部にスペースを具有する筒状を形成し、
該包覆部の棒状材料の表面に滑り止め面を設け、該滑り止め面の幅は該棒状材料の幅よりやや狭く、該両端に貼合部を設け、該包覆部を螺旋状態で巻きつけながら形成する際、該貼合部を互いに重なり合わせて貼合することを特徴とする（１）或いは（２）記載の割り箸の置換カバー構造。
（１０）前記貼合部に接着剤を塗布することを特徴とする（９）記載の割り箸の置換カバー構造。
【考案の効果】
【０００８】
本考案はプラスティックや紙で作られるエンドカバーに、食品級の材料で作られる棒状の包覆部を含む。包覆部の一端をエンドカバーに組合せ、螺旋状態で巻きつけながら内部にスペースを具有する筒状のものに形成し、割り箸の挟み部をその中に挿入してから使用する。食事が終わると、該包覆部を外すだけで、割り箸はきれいなままであり、包覆部を毎回変えるだけで、該割り箸を何回も使用することができる。
【図面の簡単な説明】
【０００９】
【図１】本考案の立体分解図である。
【図２】本考案の組合せ略図である。
【図３】本考案の組合せの立体外観図である。
【図４】本考案の組合せ断面図である。
【図５】本考案の第二実施例の立体分解図である。
【図６】本考案の第二実施例の組合せ略図である。
【考案を実施するための形態】
【００１０】
図１から図４に示すように、本考案は割り箸の置換カバー構造である。該置換カバー１０を割り箸２０の挟み部２１に套設する。それに含まれるのは、エンドカバー及び接合部１３、包覆部１４である。
【実施例】
【００１１】
該エンドカバー１１のベストな材料はプラスティック或いは紙で成形するものであり、箸２０の挟み部２１の端を挿入して定位できる収納槽１２及び、該収納槽１２の外周に接合部１３を設ける。該接合部１３の直径はエンドカバー１１よりやや小さくする。該包覆部１４は棒状の材料を用いて、螺旋状態で巻きつけながら内部にスペース１４０を具有する筒状(図１を参照)のものに形成する。第一端１４１及び第二端１４２を具有し、第一端１４１とエンドカバー１１の接合部１３をしっかりと組合せる。第二端１４２の開口より箸２の挟み部２１の端を包覆部１４内のスペース１４０に挿入し、収納槽１２で定置付けする。及び、包覆部１４は箸２０の挟み部２１を覆い、該包覆部１４の表面にエンボスや粗い顆粒などの滑り止め(図に未掲載)を施すのがベストである。
【００１２】
また、食品級の材料である紙或いは穀物で作った粉や糊状など、如何なる一種類の材料で成形する棒状の包覆部１４を、エンドカバー１１より直径がやや小さい接合部１３から巻きつけ始め、接合部１３の外周に沿って筒状のものを形成する。同時に該包覆部１４は螺旋状態で巻きつけて、端を互いに貼合するため、自然に表面に螺旋模様を形成し、摩擦力が増し、食べ物をつまみ易い。最良な結合効果を得るために、該包覆部１４が互いに貼合する端に接着剤(図に未掲載)を塗布するが、該接着剤は無毒な物且つ熱に溶けない材料とする。巻きつけて形成する際、ホットプレス或いはその他の方法を用いて、該結合端をしっかりと密着させる。
【００１３】
図５及び図６に示すのは、本考案の第二実施例の構造分解図及び断面図である。該包覆部１４の表面に滑り止め面１４３を設置し、螺旋状態で巻きつけながら内側にスペースを具有する筒状を形成する。該包覆部１４の表面はベストな握り感を具有する。
【産業上の利用可能性】
【００１４】
強調すべき点は、該滑り止め面１４３は第一実施例の包覆部１４の表面に応用することができる。第二実施例では、該滑り止め面１４３の幅は、包覆部１４の棒状材料の幅よりやや小さくし、該両端に貼合部１４４、１４５を設ける。該包覆部１４を螺旋状態で巻きつけて形成する際、該貼合部１４４、１４５は互いに重ねあい、或いは更に該貼合部１４４、１４５の接合面に接着剤を塗布することで、該包覆部１４が更に密着して成形し、更に素晴らしい使用効果を得ることができる。
【符号の説明】
【００１５】
１０  置換カバー
１１  エンドカバー
１２  収納槽
１３  接合部
１４  包覆部
１４０  スペース
１４１  第一端
１４２  第二端
１４３  滑り止め面
２０  箸
２１  挟み部
１４４、１４５  貼合部
【図１】
0003169209.tif 000003
【図２】
0003169209.tif 000004
【図３】
0003169209.tif 000005
【図４】
0003169209.tif 000006
【図５】
0003169209.tif 000007
【図６】
0003169209.tif 000008